(57)【特許請求の範囲】
【請求項１】
複数の親骨で形成される傘骨構造において、前記複数の親骨が一端を上ロクロに接続され、前記親骨の前記上ロクロへの接続位置での、所定の親骨の可動範囲が他の所定の親骨の可動範囲よりも上下方向で広いことを特徴とする傘骨構造。
【請求項２】
前記複数の親骨のうちの所定の親骨の長さが他の所定の親骨の長さと異なることを特徴とする請求項１に記載の傘骨構造。
【請求項３】
前記複数の親骨のうちの互いに隣接する所定の親骨どうしがなす角の角度が、他の所定の親骨どうしがなす角の角度と異なることを特徴とする請求項１に記載の傘骨構造。
【請求項４】
前記複数の親骨に生地を張り、該親骨に張った生地によって形状を変化させることを特徴とする請求項１に記載の傘骨構造。
【請求項５】
前記複数の親骨を支える複数の受骨を有し、前記複数の受骨が一端を下ロクロに接続され、前記受骨の前記下ロクロへの接続位置での、所定の受骨の可動範囲が他の所定の受骨の可動範囲よりも広いことを特徴とする請求項１に記載の傘骨構造。
【請求項６】
前記複数の親骨を支える複数の受骨を有し、所定の受骨の長さが他の所定の受骨の長さと異なることを特徴とする請求項１に記載の傘骨構造。
【請求項７】
前記複数の親骨を支える複数の受骨を有し、所定の受骨の長さが他の所定の受骨の長さと異なり、前記受骨の長さに応じて、該受骨の前記親骨への接続位置が異なることを特徴とする請求項１に記載の傘骨構造。
【請求項８】
前記複数の親骨が一端を上ロクロに接続され、前記複数の親骨のうち所定の親骨の前記上ロクロへの接続位置が、他の所定の親骨の接続位置と上下方向で異なることを特徴とする請求項１に記載の傘骨構造。
【請求項９】
前記複数の親骨が一端を上ロクロに接続され、前記複数の親骨の他端を上げて開いたときに該親骨のうちの所定の親骨を支持するツバ部を前記上ロクロに備えたことを特徴とする請求の範囲第１項に記載の傘骨構造。
【請求項１０】
前記複数の親骨のうちの所定の親骨が、傘の開閉動作の際に該親骨が移動する方向とは異なる方向に、傘を開いたときに湾曲することを特徴とする請求項１に記載の傘骨構造。
【請求項１１】
前記複数の親骨のうちの所定の親骨の可撓性の大きさが他の所定の親骨の可撓性の大きさと異なることを特徴とする請求項１に記載の傘骨構造。
【請求項１２】
傘を開いて横から見たときに、前記複数の親骨のうちの所定の親骨の高さが他の所定の親骨の高さと異なることを特徴とする請求項１に記載の傘骨構造。
【発明の詳細な説明】
【技術分野】  本発明は傘骨構造に関し、詳しくは、親骨および親骨に張られた生地によって形成される形状に特徴を有する傘骨構造に関する。
【背景技術】  従来から、日傘や雨傘として、雨よけの生地に様々なデザインが描かれたものが提供されている。また、傘の形状としても長傘や折りたたみ傘など、雨よけとしての機能を優先したものや、携帯のし易さを優先したものなど、様々なものが提供されている。
特開２００３−１５３７１７号公報には、従来の洋傘において、たとえば強風などの外力を受けたときに、中棒を軸に傘が回転することによって衝撃を緩和吸収し、傘が破損してしまうことを避けることができるようにした発明が開示されている。
ところが、従来の傘においては以下のような問題があった。
すなわち、従来は、中棒を軸として円形に生地が張られ、その生地には様々なデザインが描かれてはいるものの、その形状はありきたりのものしかなく、デザイン的に平凡であり、ファッション的な観点からも劣り、消費者の購買意欲をわかせることができないものであった。この点は、特開２００３−１５３７１７号公報に記載の傘であっても同様であり、傘の形状に消費者の購買意欲をわかせるような工夫はない。
このような状況に際して、単純にいろいろな形状の傘を作ろうとしても、所望の形状を作り出すことは難しく、従来、なされていなかったのが現状である。
本発明は上記の点にかんがみてなされたもので、傘に無理な負担をかけない構造で、ファッション的に優れた外観を有し、消費者に対して購買意欲をわかせて産業の発達に寄与することができる傘骨構造を提供することを目的とする。
【発明の開示】
上記の目的を達成するために、請求の範囲第１項に記載の発明では、複数の親骨で形成される傘骨構造において、前記複数の親骨のうちの所定の親骨の長さが他の所定の親骨の長さと異なるようにした。
また請求の範囲第２項に記載の発明では、複数の親骨で形成される傘骨構造において、前記複数の親骨のうちの互いに隣接する所定の親骨がなす角の角度が、他の所定の親骨どうしがなす角の角度と異なるようにした。
また請求の範囲第３項に記載の発明では、複数の親骨で形成される傘骨構造において、前記複数の親骨が一端を上ロクロに接続され、他端どうしを糸で接続し、前記糸の長さによって形状を変化させるようにした。
また請求の範囲第４項に記載の発明では、複数の親骨で形成される傘骨構造において、前記複数の親骨に生地を張り、該親骨に張った生地によって形状を変化させるようにした。
また請求の範囲第５項に記載の発明では、複数の親骨で形成される傘骨構造において、前記複数の親骨を支える複数の受骨を有し、前記複数の受骨のうちの所定の受骨が中子式の構造を有し、該中子式の構造の受骨が傘の開閉の状態に応じてその長さを変化させるようにした。
また請求の範囲第６項に記載の発明では、前記複数の受骨のうちのどの受骨を中子式の構造を有する受骨とするかを、該受骨に接続される前記親骨の長さに応じて定めるようにした。
また請求の範囲第７項に記載の発明では、複数の親骨で形成される傘骨構造において、前記複数の親骨が一端を上ロクロに接続され、前記親骨の前記上ロクロへの接続位置での、所定の親骨の可動範囲を他の所定の親骨の可動範囲よりも広くした。
また請求の範囲第８項に記載の発明では、前記所定の親骨の可動範囲を他の所定の親骨の可動範囲よりも上下方向で広くした。
また請求の範囲第９項に記載の発明では、前記所定の親骨の可動範囲を他の所定の親骨の可動範囲よりも左右方向で広くした。
また請求の範囲第１０項に記載の発明では、複数の親骨で形成される傘骨構造において、前記複数の親骨を支える複数の受骨を有し、前記複数の受骨が一端を下ロクロに接続され、前記受骨の前記下ロクロへの接続位置での、所定の受骨の可動範囲を他の所定の受骨の可動範囲よりも広くした。
また請求の範囲第１１項に記載の発明では、前記所定の受骨の可動範囲を他の所定の受骨の可動範囲よりも左右方向で広くした。
また請求の範囲第１２項に記載の発明では、複数の親骨で形成される傘骨構造において、前記複数の親骨を支える複数の受骨を有し、所定の受骨の長さが他の所定の受骨の長さと異なるようにした。
また請求の範囲第１３項に記載の発明では、前記受骨の長さが、該受骨に接続される前記親骨の長さに応じて定められるようにした。
また請求の範囲第１４項に記載の発明では、前記受骨の長さに応じて、該受骨の前記親骨への接続位置が異なるようにした。
また請求の範囲第１５項に記載の発明では、複数の親骨で形成される傘骨構造において、前記複数の親骨を支える複数の受骨を有し、所定の受骨の前記親骨への接続位置が、他の所定の受骨の前記親骨への接続位置と異なるようにした。
また請求の範囲第１６項に記載の発明では、複数の親骨で形成される傘骨構造において、前記複数の親骨が一端を上ロクロに接続される際、前記複数の親骨のうちの所定の親骨が前記上ロクロの中心以外を向いて接続されるようにした。
また請求の範囲第１７項に記載の発明では、複数の親骨で形成される傘骨構造において、前記複数の親骨を支える複数の受骨を有し、前記複数の受骨が一端を下ロクロに接続される際、前記複数の受骨のうちの所定の受骨が前記下ロクロの中心以外を向いて接続されるようにした。
また請求の範囲第１８項に記載の発明では、複数の親骨で形成される傘骨構造において、前記複数の親骨が一端を上ロクロに接続され、前記複数の親骨のうち所定の親骨の前記上ロクロへの接続位置が、他の所定の親骨の接続位置と上下方向で異なるようにした。
また請求の範囲第１９項に記載の発明では、複数の親骨で形成される傘骨構造において、前記複数の親骨が一端を上ロクロに接続され、前記複数の親骨の他端を上げて開いたときに該親骨のうちの所定の親骨を支持するツバ部を前記上ロクロに備えた。
また請求の範囲第２０項に記載の発明では、複数の親骨で形成される傘骨構造において、前記複数の親骨のうちの所定の親骨が、傘の開閉動作の際に該親骨が移動する方向とは異なる方向に、傘を開いたときに湾曲するようにした。
また請求の範囲第２１項に記載の発明では、複数の親骨で形成される傘骨構造において、前記複数の親骨のうちの所定の親骨の可撓性の大きさが他の所定の親骨の可撓性の大きさと異なるようにした。
また請求の範囲第２２項に記載の発明では、複数の親骨で形成される傘骨構造において、傘を開いて横から見たときに、前記複数の親骨のうちの所定の親骨の高さが他の所定の親骨の高さと異なるようにした。
また請求の範囲第２３項に記載の発明では、前記複数の親骨に生地を張って成るようにした。
また請求の範囲第２４項に記載の発明では、傘において、請求の範囲第１項ないし第２３項のうちのいずれか１項に記載の傘骨構造を有するようにした。
【図面の簡単な説明】  第１図は、本発明による傘の一実施の形態の外観を示す斜視図であり、
第２図は、第１図に示した傘１を手元９の方向から見た底面図であり、
第３図は、本発明による傘の、第１図とは別の実施の形態の外観を示す斜視図であり、
第４図は、第３図に示した傘１１の受骨２０ｄの構造を説明する図であって、受骨２０ｄの周辺を拡大して示す側面図であり、（ａ）は傘１１を閉じた状態での受骨２０ｄの周辺を示す側面図であり、（ｂ）は傘１１開いた状態での受骨２０ｄの周辺を示す側面図であり、
第５図は、本発明による傘の、第１図および第３図とは別の実施の形態の外観を示す斜視図であり、
第６図は、第５図に示した傘３１の上ロクロ３３の構造を説明する図であって上ロクロ３３の周辺を拡大して示す図であり、（ａ）は上ロクロ３３の周辺を石突３２の方向から見た平面図であり、（ｂ）は傘３１を開いた状態で上ロクロ３３の周辺を示す側面図であり、
第７図は、第５図に示した傘３１の下ロクロ４１の構造を説明する図であって下ロクロ４１の周辺を拡大して示す図であり、（ａ）は下ロクロ４１の周辺を石突３２の方向から中棒３８を切断した状態で見た平面図であり、（ｂ）は傘３１を開いた状態で下ロクロ４１の周辺を示す側面図であり、
第８図は、第５図に示した傘３１の親骨と受骨との位置関係について説明する図であって親骨と受骨との接続位置の周辺を拡大して示す側面図であり、（ａ）は親骨３４ａと受骨４０ａとについて示す図であり、（ｂ）は親骨３４ｂと受骨４０ｂとについて示す図であり、（ｃ）は親骨３４ｃと受骨４０ｃとについて示す図であり、（ｄ）は親骨３４ｄと受骨４０ｄとについて示す図であり、
第９図は、本発明による傘の第４の実施の形態の外観を示す斜視図であり、
第１０図は、第７図（ａ）および第７図（ｂ）に示した下ロクロの別の例を示す図であり、（ａ）は下ロクロの周辺を石突の方向から中棒を切断した状態で見た平面図であり、（ｂ）は傘を開いた状態で下ロクロの周辺を示す側面図であり、
第１１図は、第６図（ａ）および第６図（ｂ）に示した上ロクロの別の例を示す図であり、（ａ）は上ロクロの第２の例を示す側面図、（ｂ）は上ロクロの第３の例を示す側面図、（ｃ）は上ロクロの第４の例を示す側面図であり、
第１２図は、上ロクロの第５の例を示す図であり、（ａ）は上ロクロ９３の周辺を石突９２の方向から見た平面図であり、（ｂ）は傘を開いた状態で上ロクロ９３の周辺を示す側面図であり、
第１３図は、本発明による傘の第５の実施の形態を手元の方向から見た底面図であり、
第１４図は、本発明による傘の第６の実施の形態の外観を示す斜視図であり、
第１５図は、第１４図に示した傘２０１を手元２０９の方向から見た底面図であり、
第１６図は、第１４図に示した傘２０１の上ロクロ２０３の部分の側面図であり、
第１７図は、本発明による傘の第７の実施の形態の外観を示す斜視図であり、
第１８図は、第１７図に示した傘１１１を手元１１９の方向から見た底面図であり、
第１９図は、第１７図に示した傘１１１の側面図であって、親骨の高さについて見やすいように、糸１１７および生地１１６や余計な親骨を除いた状態で示す図であり、
第２０図は、第１７図に示した傘１１１の各親骨の高さをグラフに表した図であり、
第２１図は、本発明による傘の親骨の高さの例をグラフに表した図であり、
第２２図は、本発明による傘の親骨の高さの例をグラフに表した図であり、
第２３図は、本発明による傘の親骨の高さの例をグラフに表した図であり、
第２４図は、本発明による傘の親骨の高さの例をグラフに表した図であり、
第２５図は、本発明による傘の親骨の高さの例をグラフに表した図であり、
第２６図は、本発明による傘の親骨の高さの例をグラフに表した図であり、
第２７図は、本発明による傘の親骨の高さの例をグラフに表した図であり、
第２８図は、本発明による傘の親骨の高さの例をグラフに表した図であり、
第２９図は、本発明による傘の親骨の高さの例をグラフに表した図であり、
第３０図は、本発明による傘の親骨の高さの例をグラフに表した図であり、
第３１図は、本発明による傘の第８の実施の形態を石突の方向から見た平面図である。
【発明を実施するための最良の形態】  以下、本発明の実施の形態を図面を参照して詳しく説明する。
本発明の目的、作用、効果、そのほかの目的、特徴および動作上の利点が、好適な実施の形態の説明によって明確になるであろう。
参考としてここに開示される実施の形態は、様々な実施可能な例の中から当業者の理解を助けるために最も好適な実施の形態を選定して提示したものに過ぎず、本発明の技術的思想が必ずしもこの実施の形態に限定あるいは制限されるものではない。本発明の技術的思想から逸脱することなく、様々な変化、付加および変更が可能なのは勿論、均等な他の実施も可能であり、これらも本発明に含まれることを明らかにしておく。
なお、本発明による傘は、日傘であってもよいし雨傘であってもかまわない。また、本発明による傘の形状、構造は、長傘にも適用できるし、折りたたみ傘にも適用できることは言うまでもない。
第１図は、本発明による傘の一実施の形態の外観を示す斜視図である。
第１図に示すように、本実施の形態の傘１は、従来の傘と同様に、中棒８の先端に石突２が設けられ、中棒８の下端には手元９が設けられている。
中棒８のうち石突２の直下には上ロクロ３が設けられ、この上ロクロ３には親骨４ａ、４ｂ、４ｃ、４ｄ、４ｅ、４ｆおよび４ｇが接続されている。中棒８には、中棒８に沿って移動可能な下ロクロ（図示せず）が外挿され、この下ロクロに接続された受骨１０ａ、１０ｂ、１０ｃ、１０ｄ、１０ｅ、１０ｆおよび１０ｇ（第２図に示す）のそれぞれが親骨４ａ、４ｂ、４ｃ、４ｄ、４ｅ、４ｆおよび４ｇのそれぞれを支え、下ロクロを中棒８に沿って移動させることによって、傘１の開閉が行われる。
親骨４ａ、４ｂ、４ｃ、４ｄ、４ｅ、４ｆおよび４ｇのそれぞれには、上ロクロ３に接続された端とは別の端に露先５ａ、５ｂ、５ｃ、５ｄ、５ｅ、５ｆおよび５ｇ（５ｆおよび５ｇは第１図では見えない位置にあるため、第２図を参照）のそれぞれが設けられ、雨のしずくの誘導や各親骨の先端の危険の緩和の役割を果たしている。
親骨４ａ、４ｂ、４ｃ、４ｄ、４ｅ、４ｆおよび４ｇのそれぞれの先端に設けられた露先５ａ、５ｂ、５ｃ、５ｄ、５ｅ、５ｆおよび５ｇのそれぞれは、糸７によって隣接する露先と接続される。すなわち、隣接する露先どうしを接続する糸７の長さを調節することによって、隣接する露先どうしの距離を調節し、その露先が設けられた親骨の形状を調整することができる。
糸７の材質は特に問わず、結んだ露先から外れたりせず、また糸７が切れてしまったりすることがない程度の強度を有すればよく、たとえば、釣り糸、ナイロン糸、化学繊維の糸、ピアノ線、金属の糸、そのほか綿糸、絹糸等であってもかまわない。
また糸７は、露先どうしを結ぶものに限らず、親骨の所定位置と隣接する親骨の所定位置とを結ぶものであってもかまわない。
このように本実施の形態では、傘の露先どうしを糸で結んで各親骨によって形成される形状を定めるようにしたので、任意の形状を容易に実現することができる。
また、第１図に示すように、傘１では、親骨４ａ、４ｂ、４ｃ、４ｄ、４ｅ、４ｆおよび４ｇの上には、生地６が張られ、雨よけ、日よけの役割を果たしている。この生地６の材質は、布であっても、ビニールであっても、紙であってもよいことはいうまでもない。また、レースや網のように隙間があるもの（隙間があっても日よけとしての役割やファッション装身具としての役割は十分に担うことができる。）であってもかまわない。
生地６は、各骨や糸７によって傘の形状が定まった後に張りつけるだけのものであってもよいし、逆に生地６に各骨を固定する（糸で結わえ付けたり、接着剤で接着することもできる）際に各骨の位置を定める、すなわち、生地６によって傘の形状を定めるようにしてもよい。この場合、糸７は設けなくてもよく、また、第１図では隣り合う露先どうしを糸７によって直線的に繋いでいるが、糸７で形状を定めるのでなければ、隣り合う露先どうしを繋ぐ生地６を曲線にするなど任意にカットして生地６による美しさが出るようにしてもよい。
また、第１図では、生地６の上に上ロクロ３が見えているが、生地６は上ロクロ３の上から覆うものであってもよい。
第２図は、第１図に示した傘１を手元９の方向から見た底面図である。
本実施の形態の傘１は、親骨４ａ、４ｂ、４ｃ、４ｄ、４ｅ、４ｆおよび４ｇのうち隣り合う親骨どうしがなす角度を、所定の個所で異ならせている。すなわち、第２図の例では、親骨４ｅと親骨４ｄとがなす角の角度θ０を、他の所定の親骨どうしがなす角の角度（θ１〜θ６）と異ならせている。これは、傘の親骨の数が８本で等角度間隔のものから、親骨および受骨を１本取り除いて（親骨４ｅと親骨４ｄとの間の親骨および受骨を取り除いて）実現することもできる。
このように本実施の形態の傘１では、傘の隣り合う親骨どうしがなす角の角度を、所定の親骨において異ならせるようにしたので、傘の親骨とそれに張られた生地によって様々な形状たとえば貝殻の形状を実現することができるという効果がある。また、従来の傘の親骨のうちの何本かを取り除くようにすれば、容易に、傘の隣り合う親骨どうしがなす角の角度を、所定の親骨において異なるという構造を実現することができる。
また、本実施の形態の傘１では、親骨４ａ、４ｂ、４ｃ、４ｄ、４ｅ、４ｆおよび４ｇのうち所定の親骨の長さを他の所定の親骨の長さと異ならせるようにしている。すなわち、第２図の例では、親骨４ａが最も長く、親骨４ｂと親骨４ｇとが同じ長さであって親骨４ａの次に長く、親骨４ｃと親骨４ｆとが同じ長さであって親骨４ｂと親骨４ｇの次に長く、親骨４ｄと親骨４ｅとが同じ長さであって最も短い。
このように本実施の形態の傘１では、所定の親骨の長さを他の所定の親骨の長さと異ならせるようにしたので、傘の親骨とそれに張られた生地によって様々な形状たとえば貝殻の形状を実現することができるという効果がある。
なお、本実施の形態の傘１では、親骨の数を７本にしているが、本発明はこれに限られるものではなく、９本、１１本でもよく、さらには他の数でもよく、また、偶数でも奇数でもよい。
次に、本発明による傘の第２の実施の形態について説明する。
第３図は、本発明による傘の第２の実施の形態の外観を示す斜視図である。
第３図においては、この実施の形態に係る傘１１の構造の見易さのため、雨よけや日よけのための生地を取り除いた状態で示している。
本実施の形態の傘１１は、中棒１８の先端に石突１２が設けられ、中棒１８の下端には手元１９が設けられている。
中棒１８のうち石突１２の直下には上ロクロ１３が設けられ、この上ロクロ１３には親骨１４ａ、１４ｂ、１４ｃ、１４ｄ、１４ｅ、１４ｆおよび１４ｇが接続されている。また、中棒１８には、中棒１８に沿って移動可能な下ロクロ２１が外挿され、この下ロクロ２１に接続された受骨２０ａ、２０ｂ、２０ｃ、２０ｄ、２０ｅ、２０ｆおよび２０ｇのそれぞれが親骨１４ａ、１４ｂ、１４ｃ、１４ｄ、１４ｅ、１４ｆおよび１４ｇのそれぞれを支え、下ロクロ２１を中棒１８に沿って移動させることによって、傘１１の開閉が行われる。
中棒１８には、さらに上はじき２２が設けられ、傘１１を開いた状態において、下ロクロ２１を上はじき２２で留めて、傘１１が閉じてしまうのを防止するようにしている。閉じている傘が開いてしまうのを防ぐためには、下はじきが用いられるが、本実施の形態では省略する。
また、親骨１４ａ、１４ｂ、１４ｃ、１４ｄ、１４ｅ、１４ｆおよび１４ｇのそれぞれには、上ロクロ１３に接続された端とは別の端に露先１５ａ、１５ｂ、１５ｃ、１５ｄ、１５ｅ、１５ｆおよび１５ｇのそれぞれが設けられ、雨のしずくの誘導や各親骨の先端の危険の緩和の役割を果たしている。
親骨１４ａ、１４ｂ、１４ｃ、１４ｄ、１４ｅ、１４ｆおよび１４ｇのそれぞれの先端に設けられた露先１５ａ、１５ｂ、１５ｃ、１５ｄ、１５ｅ、１５ｆおよび１５ｇのそれぞれは、糸１７によって隣接する露先と接続される。さらに傘１１の親骨１４ａ、１４ｂ、１４ｃ、１４ｄ、１４ｅ、１４ｆおよび１４ｇの上には、生地（図示せず）が張られる。
この第３図に示す実施の形態においては受骨に特徴を有する。すなわち、第３図に示す例では、受骨２０ｄおよび受骨２０ｅが、他の受骨と異なる構造を有している。この点について第４図を参照して説明する。
第４図は、第３図に示した傘１１の受骨２０ｄの構造を説明する図であって、受骨２０ｄの周辺を拡大して示す側面図であり、（ａ）は傘１１を閉じた状態での受骨２０ｄの周辺を示す側面図であり、（ｂ）は傘１１開いた状態での受骨２０ｄの周辺を示す側面図である。
本実施の形態では、受骨２０ｄおよび受骨２０ｅが他の受骨と異なる構造を有しているが、受骨２０ｅは受骨２０ｄと同じ構造であるので、ここでは、代表して受骨２０ｄについて説明する。
第４図（ａ）および第４図（ｂ）に示すように、受骨２０ｄは下端が下ロクロ２１に接続され、上端に中子２３ｄが挿入された中空の円筒状の構造を有している。また、中子２３ｄは上端が親骨１４ｄの所定位置（中央よりやや中棒１８寄り）に接続され、下端は中空の受骨２０ｄの中に挿し込んだ状態になっている。
第４図（ａ）に示すように、傘１１を閉じた状態では、受骨２０ｄから中子２３ｄが所定の長さだけ出てきて、親骨１４ｄと下ロクロ２１とを接続する部材すなわち受骨２０ｄと中子２３ｄとがなす長さが長くなって受骨２０ｄと中子２３ｄとが共働して受骨となり、一方、第４図（ｂ）に示すように、傘１１を開いた状態では、受骨２０ｄの中に中子２３ｄがスライドして挿し込まれ、親骨１４ｄと下ロクロ２１とを接続する部材すなわち受骨２０ｄと中子２３ｄとがなす長さが短くなって受骨２０ｄと中子２３ｄとが受骨となる。
なお、本実施の形態では、受骨２０ｄおよび受骨２０ｅが他の受骨と異なる中子式の構造（テレスコープ構造）を有しているが、本発明はこれに限られるものではなく、複数の受骨のうちの所定の数の受骨が中子式の構造を有するものであってかまわない。
このように本実施の形態によれば、親骨に接続された受骨のうち所定の受骨の長さを変化させることができるようにしたので、傘に無理な力がかからず、傘の破損を防ぐことができる。
また、親骨の長さに応じてその親骨に接続された受骨の長さを変化させることもでき、その場合にも、傘に無理な力がかからず、傘の破損を防ぐことができる。
また本実施の形態によれば、所定の受骨をスライド可能な中子式にしたので、傘の開閉の状態に応じてその受骨の長さが変化し、傘に無理な力がかからず、傘の破損を防ぐことができる。
次に、本発明による傘の第３の実施の形態について説明する。
第５図は、本発明による傘の第３の実施の形態の外観を示す斜視図である。
第５図においては、この実施の形態に係る傘３１の構造の見易さのため、雨よけや日よけのため、また形状を作り出すための生地を取り除いた状態で示している。
本実施の形態の傘３１は、中棒３８の先端に石突３２が設けられ、中棒３８の下端には手元３９が設けられている。
中棒３８のうち石突３２の直下には上ロクロ３３が設けられ、この上ロクロ３３には親骨３４ａ、３４ｂ、３４ｃ、３４ｄ、３４ｅ、３４ｆおよび３４ｇが接続されている。また、中棒３８には、中棒３８に沿って移動可能な下ロクロ４１が外挿され、この下ロクロ４１に接続された受骨４０ａ、４０ｂ、４０ｃ、４０ｄ、４０ｅ、４０ｆおよび４０ｇのそれぞれが親骨３４ａ、３４ｂ、３４ｃ、３４ｄ、３４ｅ、３４ｆおよび３４ｇのそれぞれを支え、下ロクロ４１を中棒３８に沿って移動させることによって、傘３１の開閉が行われる。
中棒３８には、さらに上はじき４２が設けられ、傘３１を開いた状態において、下ロクロ４１を上はじき４２で留めて、傘３１が閉じてしまうのを防止するようにしている。
また、親骨３４ａ、３４ｂ、３４ｃ、３４ｄ、３４ｅ、３４ｆおよび３４ｇのそれぞれには、上ロクロ３３に接続された端とは別の端に露先３５ａ、３５ｂ、３５ｃ、３５ｄ、３５ｅ、３５ｆおよび３５ｇのそれぞれが設けられ、雨のしずくの誘導や各親骨の先端の危険の緩和の役割を果たしている。
親骨３４ａ、３４ｂ、３４ｃ、３４ｄ、３４ｅ、３４ｆおよび３４ｇのそれぞれの先端に設けられた露先３５ａ、３５ｂ、３５ｃ、３５ｄ、３５ｅ、３５ｆおよび３５ｇのそれぞれは、糸３７によって隣接する露先と接続される。さらに傘３１の親骨３４ａ、３４ｂ、３４ｃ、３４ｄ、３４ｅ、３４ｆおよび３４ｇの上には、生地（図示せず）が張られる。
この第５図に示す実施の形態においては上ロクロおよび下ロクロに特徴を有する。すなわち、この点について第６図および第７図を参照して説明する。
第６図は、第５図に示した傘３１の上ロクロ３３の構造を説明する図であって上ロクロ３３の周辺を拡大して示す図であり、（ａ）は上ロクロ３３の周辺を石突３２の方向から見た平面図であり、（ｂ）は傘３１を開いた状態で上ロクロ３３の周辺を示す側面図である。
第６図（ａ）に示すように、本実施の形態の上ロクロ３３は、親骨３４ａ、３４ｂおよび３４ｇの接続位置において上ロクロ３３の上部がカットしてあり、これらの親骨の上下方向の可動範囲を広げてある。このようにすることによって、第６図（ｂ）に示すように、親骨３４ａ、３４ｂおよび３４ｇを、中棒３８の軸方向と垂直な面のうち上ロクロ３３の位置の面よりも上側まで持ち上げることができるようになる。
すなわち、本実施の形態によれば、上ロクロに親骨が接続された位置において、所定の親骨の可動範囲を上方向に広げるようにしたので、傘に無理な力がかからず、傘の破損を防ぐことができ、傘の開閉操作をスムーズに行うことができ、また親骨によって所望の形状を作り出すことができる。
第７図は、第５図に示した傘３１の下ロクロ４１の構造を説明する図であって下ロクロ４１の周辺を拡大して示す図であり、（ａ）は下ロクロ４１の周辺を石突３２の方向から中棒３８を切断した状態で見た平面図であり、（ｂ）は傘３１を開いた状態で下ロクロ４１の周辺を示す側面図である。
第７図（ａ）に示すように、本実施の形態の下ロクロ４１は、受骨４０ｃ、４０ｄ、４０ｅおよび４０ｆの接続位置において下ロクロ４１の周辺がカットしてあり、左右方向すなわち図において水平両方向への可動範囲を広げてある。このようにすることによって、第７図（ａ）および第７図（ｂ）に示すように、受骨４０ｃ、４０ｄ、４０ｅおよび４０ｆが、中棒３８を軸とした軸回転方向で動くことができるようになる。
すなわち、本実施の形態によれば、下ロクロに受骨が接続された位置において、所定の受骨の水平両方向への可動範囲を広げるようにしたので、傘に無理な力がかからず、傘の破損を防ぐことができ、傘の開閉操作をスムーズに行うことができ、また親骨によって所望の形状を作り出すことができる。
また、このような構造のロクロは、従来の傘の上ロクロや下ロクロの所定個所をカットするようにすれば、容易に、各骨の可動範囲を広げることができる。
また、第６図（ａ）および第６図（ｂ）に示した例では、上ロクロ３３における左右方向での可動範囲は広げていないが、上ロクロ３３においても下ロクロ４１と同様に、左右方向の可動範囲を広げるようにしてもよい。
ところで、第５図に示した実施の形態では、親骨と受骨との位置関係においても特徴を有する。この点について第８図を参照して説明する。
第８図は、第５図に示した傘３１の親骨と受骨との位置関係について説明する図であって、親骨と受骨との接続位置の周辺を拡大して示す側面図であり、（ａ）は親骨３４ａと受骨４０ａとについて示す図であり、（ｂ）は親骨３４ｂと受骨４０ｂとについて示す図であり、（ｃ）は親骨３４ｃと受骨４０ｃとについて示す図であり、（ｄ）は親骨３４ｄと受骨４０ｄとについて示す図である。
なお、第５図に示した実施の形態では、親骨３４ｇと受骨４０ｇとの位置関係は親骨３４ｂと受骨４０ｂとの位置関係と同じであり、親骨３４ｆと受骨４０ｆとの位置関係は親骨３４ｃと受骨４０ｃとの位置関係と同じであり、親骨３４ｅと受骨４０ｅとの位置関係は親骨３４ｄと受骨４０ｄとの位置関係と同じであるため、親骨３４ｇと受骨４０ｇとの位置関係、親骨３４ｆと受骨４０ｆとの位置関係および親骨３４ｅと受骨４０ｅとの位置関係は図示を省略する。
第５図に示した実施の形態では、傘３１の複数の受骨のうち所定の受骨の長さが他の所定の受骨の長さと異なることを特徴としている。ここでは、第８図（ａ）〜第８図（ｄ）に示すように、受骨４０ａが最も長く、受骨４０ｂと受骨４０ｇとが同じ長さであって受骨４０ａの次に長く、受骨４０ｃと受骨４０ｆとが同じ長さであって受骨４０ｂと受骨４０ｇの次に長く、受骨４０ｄと受骨４０ｅとが同じ長さであって最も短い。
さらに、この実施の形態では、受骨の長さに応じて、親骨と受骨との接続位置も異ならせている。
すなわち、ここでは、第８図（ａ）に示すように、最も長い受骨４０ａでは、受骨４０ａが親骨３４ａに接続される位置が上ロクロ３３に最も近い。すなわち親骨３４ａ上で、親骨３４ａが上ロクロ３３に接続されている位置Ａａから、受骨４０ａが親骨３４ａに接続されている位置Ｂａまでの長さが、他のものよりも最も短い。
また、第８図（ｂ）に示すように、２番目に長い受骨４０ｂでは、受骨４０ｂが親骨３４ｂに接続される位置が上ロクロ３３に２番目に近い。すなわち親骨３４ｂ上で、親骨３４ｂが上ロクロ３３に接続されている位置Ａｂから、受骨４０ｂが親骨３４ｂに接続されている位置Ｂｂまでの長さが、受骨４０ａの場合の次に短い。
また、第８図（ｃ）に示すように、３番目に長い受骨４０ｃでは、受骨４０ｃが親骨３４ｃに接続される位置が上ロクロ３３に３番目に近い。すなわち親骨３４ｃ上で、親骨３４ｃが上ロクロ３３に接続されている位置Ａｃから、受骨４０ｃが親骨３４ｃに接続されている位置Ｂｃまでの長さが、受骨４０ｂの場合の次に短い。
また、第８図（ｄ）に示すように、最も短い受骨４０ｄでは、受骨４０ｄが親骨３４ｄに接続される位置が上ロクロ３３から最も遠い。すなわち親骨３４ｄ上で、親骨３４ｄが上ロクロ３３に接続されている位置Ａｄから、受骨４０ｄが親骨３４ｄに接続されている位置Ｂｄまでの長さが、他のものよりも最も長い。
すなわち、傘をスムーズに開閉できるようにするためには、位置Ａａから位置Ｂａまでの距離をＡａ〜Ｂａと表すものとしたとき、（Ａａ〜Ｂａ＋Ｂａ〜Ｃａ）＝（Ａｂ〜Ｂｂ＋Ｂｂ〜Ｃｂ）＝（Ａｃ〜Ｂｃ＋Ｂｃ〜Ｃｃ）＝（Ａｄ〜Ｂｄ＋Ｂｄ〜Ｃｄ）であることが望ましい。
本実施の形態によれば、親骨に接続された受骨の長さを異ならせ、また、それに応じて親骨と受骨との接続位置を調節するようにしたので、傘に無理な力がかからず、傘の破損を防ぐことができ、親骨によって所望の形状を作り出すことができる。
本実施の形態によれば、親骨の長さに応じてその親骨に接続された受骨の長さも異ならせ、また、それに応じて親骨と受骨との接続位置を調節するようにしたので、傘に無理な力がかからず、傘の破損を防ぐことができ、親骨によって所望の形状を作り出すことができる。
ところで、第１図に示した傘１の手元９や、第３図に示した傘１１の手元１９や、第５図に示した傘３１の手元３９は、まっすぐな棒状の形状であるが、本願発明はこれに限られるものではなく、手元の形状はこれと異なるものであってもよい。その一例を第９図に示す。
第９図は、本発明による傘の第４の実施の形態の外観を示す斜視図である。
第９図に示すように、本実施の形態の傘５１は、中棒５８の先端に石突５２が設けられ、中棒５８の下端には手元５９が設けられている。
この手元５９は先端がカーブしており、手元５９がこのような形状をしていることによって、傘５１が中棒５８を軸として回転してしまうのを手元５９で抑えやすくなるという効果がある。また、手元５９のうち中棒５８と平行でない部分を持てば、傘５１の開閉をスムーズに行うことができるという効果がある。
また、ファッション性からいうと、傘５１の複数の親骨のうち一番長いもの（第９図では親骨５５ａ）と軸対称な向き（中棒５８を軸として）に、手元５９の先端がカーブするようにするのが、見た目の美しさからして望ましい。
第１０図は、第７図（ａ）および第７図（ｂ）に示した下ロクロの別の例を示す図であり、（ａ）は下ロクロの周辺を石突の方向から中棒を切断した状態で見た平面図であり、（ｂ）は傘を開いた状態で下ロクロの周辺を示す側面図である。
第７図（ａ）および第７図（ｂ）に示した例では、受骨４０ｃ、４０ｄ、４０ｅおよび４０ｆの接続位置において下ロクロ４１の周辺がカットしてあり、左右方向すなわち図において水平両方向への可動範囲を広げるようにしたが、第１０図（ａ）および第１０図（ｂ）に示す例では、受骨６０ａ〜６０ｇの下ロクロ６１への接続位置での水平両方向への可動範囲を広げるものではなく、受骨６０ａ〜６０ｇの下ロクロ６１への接続位置での水平方向の向きを通常と異ならせている。
従来の傘では、受骨の下ロクロへの接続位置での水平方向の向きは、下ロクロの中心から放射される向きと同じにされている。ところが、この第１０図（ａ）および第１０図（ｂ）に示す例では、たとえば第７図（ａ）において実線で示した受骨４０ａ〜４０ｇと同じ向きで、受骨６０ａ〜６０ｇが下ロクロ６１に接続されており、しかも下ロクロ６１には、第７図（ａ）の下ロクロ４１のような水平方向での可動幅は設けられていない。すなわち、第１０図（ａ）および第１０図（ｂ）に示す例では、複数の受骨のうちの所定の受骨（６０ｃ、６０ｄ、６０ｅ、６０ｆ）が下ロクロ６１の中心以外を向いて接続されている。
この第１０図（ａ）および第１０図（ｂ）に示す例のようにした場合においても、また親骨によって所望の形状を作り出すことができる。
この第１０図（ａ）および第１０図（ｂ）に示した例では、受骨の下ロクロへの接続位置での水平方向の向きについて説明したが、これは上ロクロにおいても適用することができる。すなわち、親骨の上ロクロへの接続位置での水平方向の向きを従来と異ならせることによっても、親骨によって所望の形状を作り出すことができる。
第１１図は、第６図（ａ）および第６図（ｂ）に示した上ロクロの別の例を示す図であり、（ａ）は上ロクロの第２の例を示す側面図、（ｂ）は上ロクロの第３の例を示す側面図、（ｃ）は上ロクロの第４の例を示す側面図である。
第６図（ａ）および第６図（ｂ）に示した例では、上ロクロ３３のうち親骨３４ａ、３４ｂおよび３４ｇを接続した部分の上部を完全にカットしてしまい、親骨３４ａ、３４ｂおよび３４ｇの上下方向での可動範囲を広げるようにしたが、本発明は、この第６図（ａ）および第６図（ｂ）に示した例に限られるものではなく、上ロクロと親骨との接続形態を様々に従来と異ならせることによって、親骨によって所望の形状を作り出すことができる。
たとえば、第１１図（ａ）に示す例では、中棒７５と石突７２との間に設けた上ロクロ７３は、第６図（ｂ）に示した上ロクロ３３と違って、上部を完全にカットするのではなく溝を長くして、これによってたとえば親骨７４の上下方向での可動範囲を従来よりも広げるようにしている。この場合にも、親骨によって所望の形状を作り出すことができる。
また、第１１図（ｂ）に示す例では、中棒７９と石突７６との間に設けた上ロクロ７７は、第１１図（ａ）に示した上ロクロ７３のように溝を長くするのではなく、複数の親骨のうち所定の親骨の上ロクロ７７への接続位置を、他の所定の親骨の接続位置と上下方向で異ならせるようにしている。この場合にも、親骨によって所望の形状を作り出すことができる。
また、第１１図（ｃ）に示す例では、中棒８３と石突８０との間に設けた上ロクロ８１は、第１１図（ａ）に示した上ロクロ７３のように溝を長くするとともに、親骨の上ロクロへの接続位置を、第１１図（ｂ）に示した例と同様に異ならせている。この場合にも、親骨によって所望の形状を作り出すことができる。
第１１図（ａ）、第１１図（ｂ）、第１１図（ｃ）は上ロクロの形状の例を示したが、本発明はこれに限られるものではなく、下ロクロを第１１図（ａ）、第１１図（ｂ）、第１１図（ｃ）に示した上ロクロと同様の形状にしてもよい。
第１２図は上ロクロの第５の例を示す図であり、（ａ）は上ロクロ９３の周辺を石突９２の方向から見た平面図であり、（ｂ）は傘を開いた状態で上ロクロ９３の周辺を示す側面図である。
この第５の例による上ロクロ９３はツバ部９５を有しており、このツバ部９５は、上ロクロ９３のうち親骨９４ａ、９４ｂおよび９４ｇが接続される溝の上に設けられている。
このツバ部９５は、親骨９４ａ、９４ｂ、９４ｇのそれぞれが傘を開く操作につれて上がった際に、その親骨９４ａ、９４ｂ、９４ｇを支えて傘を補強する役割を果たすものである。ツバ部９５は、傘を開いたときに親骨９４ａ、９４ｂ、９４ｇを固定したい位置で、親骨９４ａ、９４ｂ、９４ｇを面で支えることができる形状となっており、これによって、傘を開いたときに補強され安定した状態で傘を使用することができるという効果がある。
次に、本発明のさらに別の実施の形態について説明する。
第１３図は、本発明による傘の第５の実施の形態を手元の方向から見た底面図である。
本実施の形態の傘１０１は、中棒の先端に石突が設けられ、中棒の下端には手元１０９が設けられている。なお、第１３図では、石突および中棒は、手元１０９の陰になり図示されない。
石突の直下には上ロクロ（第１３図においては図示せず）が設けられ、この上ロクロには親骨１０４ａ、１０４ｂ、１０４ｃ、１０４ｄ、１０４ｅ、１０４ｆおよび１０４ｇが接続されている。また、中棒には、中棒に沿って移動可能な下ロクロ（第１３図においては図示せず）が外挿され、この下ロクロに接続された受骨１１０ａ、１１０ｂ、１１０ｃ、１１０ｄ、１１０ｅ、１１０ｆおよび１１０ｇのそれぞれが親骨１０４ａ、１０４ｂ、１０４ｃ、１０４ｄ、１０４ｅ、１０４ｆおよび１０４ｇのそれぞれを支え、下ロクロを中棒に沿って移動させることによって、傘１０１の開閉が行われる。
また、親骨１０４ａ、１０４ｂ、１０４ｃ、１０４ｄ、１０４ｅ、１０４ｆおよび１０４ｇのそれぞれには、上ロクロに接続された端とは別の端に露先１０５ａ、１０５ｂ、１０５ｃ、１０５ｄ、１０５ｅ、１０５ｆおよび１０５ｇのそれぞれが設けられ、雨のしずくの誘導や各親骨の先端の危険の緩和の役割を果たしている。
親骨１０４ａ、１０４ｂ、１０４ｃ、１０４ｄ、１０４ｅ、１０４ｆおよび１０４ｇのそれぞれの先端に設けられた露先１０５ａ、１０５ｂ、１０５ｃ、１０５ｄ、１０５ｅ、１０５ｆおよび１０５ｇのそれぞれは、糸１０７によって隣接する露先と接続される。さらに傘１０１の親骨１０４ａ、１０４ｂ、１０４ｃ、１０４ｄ、１０４ｅ、１０４ｆおよび１０４ｇの上には、生地１０６が張られる。
本実施の形態の傘１０１は、親骨１０４ａ、１０４ｂ、１０４ｃ、１０４ｄ、１０４ｅ、１０４ｆおよび１０４ｇのうちの所定の親骨を、中棒の軸方向と垂直な面方向において湾曲させることに特徴を有する。すなわち、傘の開閉動作の際に各親骨が移動する方向とは異なる方向に、傘を開いたときの親骨が湾曲している。
第１３図に示した例では、親骨１０４ｃの先端の露先１０５ｃが露先１０５ｂの側に向かうように、親骨１０４ｃを湾曲させ、また、親骨１０４ｆの先端の露先１０５ｆが露先１０５ｇの側に向かうように、親骨１０４ｆを湾曲させ、また、親骨１０４ｂの先端の露先１０５ｂが露先１０５ａの側に向かうように、親骨１０４ｂを湾曲させ、また、親骨１０４ｇの先端の露先１０５ｇが露先１０５ａの側に向かうように、親骨１０４ｇを湾曲させている。また、傘１０１をとじた場合には、各親骨は中棒に沿ってまっすぐな状態に戻ることが望ましい。
これらの親骨の湾曲は、露先どうしを接続する糸１０７の張力によって形成してもよい。また、各親骨と生地１０６とを所定位置（たとえば第１３図の点Ａや点Ｂ）で固着させ、生地１０６の張力によって親骨を湾曲させるようにしてもよい。各親骨の所定位置と生地１０６の所定位置とを固着させるには、糸でくくりつけるようにしてもよいし、必要な強度を有する接着剤で固着させるようにしてもよい。
各親骨の材質は、プラスチック、メタル、カーボンファイバー、グラスファイバーなど湾曲可能なものであればよく、軽量化のためにはカーボンファイバーやグラスファイバーなどが望ましい。また、親骨の可撓性の大きさすなわちたわみ易さ（湾曲のし易さ）を必要に応じて選択することによって、任意の形状を作り出すことができる。この親骨の可撓性の大きさは材質を変えることによって選択することもできるし、親骨の太さを変えることによって選択することもできる。また、１つの傘の複数の親骨においてそれぞれで可撓性の大きさが異なるものを用いて傘の形状を作り出すようにしてもよい。また、短い親骨を可撓性の大きいものにしてもよいし、長い親骨を可撓性の大きいものにしてもよいし、短い親骨を可撓性の小さいものにしてもよいし、長い親骨を可撓性の小さいものにしてもよいし、可撓性の大きさの段階を複数段階設けてもよい。
生地１０６の材質は、コットン、リネン、シルク、そのほか既知のあらゆる天然繊維、化学繊維を用いることができ、日傘として用いる場合にはＵＶ加工（紫外線遮断加工）を施すのが望ましい。また、生地１０６としては、伸縮性のある材質の生地を用いてもよいし、伸縮性の比較的小さい生地でもよく、傘を開いたときの形状の美しさが表せるのが望ましい。
また、生地１０６は、１枚の布ですべての露先にわたる傘全体を覆う生地であってもよいし、所定の親骨とその隣の親骨との間を覆う布を複数枚（親骨の数と同じ枚数）用意し、これを縫い合わせるようにしてもよい。また、たとえば親骨１０４ｃと１０４ａとの間を１枚の布で覆うように、縫い合わせる布の枚数を調節してもよい。
このように本実施の形態の傘１０１では、所定の親骨を、中棒と垂直な面方向において湾曲させるようにしたので、傘の親骨とそれに張られた生地によってより美しい形状を実現することができるという効果がある。
次に、本発明のさらに別の実施の形態について説明する。
第１４図は、本発明による傘の第６の実施の形態の外観を示す斜視図である。
また第１５図は、第１４図に示した傘２０１を手元２０９の方向から見た底面図である。
第１４図に示すように、本実施の形態の傘２０１は、従来の傘と同様に、中棒２０８の先端に石突２０２が設けられ、中棒２０８の下端には手元２０９が設けられている。
中棒２０８のうち石突２０２の直下には上ロクロ２０３が設けられ、この上ロクロ２０３には親骨２０４ａ、２０４ｂ、２０４ｃ、２０４ｄ、２０４ｅ、２０４ｆ、２０４ｇ、２０４ｈ、２０４ｉ、２０４ｊおよび２０４ｋが接続されている。中棒２０８には、中棒２０８に沿って移動可能な下ロクロ（図示せず）が外挿され、この下ロクロに接続された受骨２１０ａ、２１０ｂ、２１０ｃ、２１０ｄ、２１０ｅ、２１０ｆ、２１０ｇ、２１０ｈ、２１０ｉ、２１０ｊおよび２１０ｋ（第１５図に示す）のそれぞれが親骨２０４ａ、２０４ｂ、２０４ｃ、２０４ｄ、２０４ｅ、２０４ｆ、２０４ｇ、２０４ｈ、２０４ｉ、２０４ｊおよび２０４ｋのそれぞれを支え、下ロクロを中棒２０８に沿って移動させることによって、傘２０１の開閉が行われる。
親骨２０４ａ、２０４ｂ、２０４ｃ、２０４ｄ、２０４ｅ、２０４ｆ、２０４ｇ、２０４ｈ、２０４ｉ、２０４ｊおよび２０４ｋのそれぞれには、上ロクロ２０３に接続された端とは別の端に露先２０５ａ、２０５ｂ、２０５ｃ、２０５ｄ、２０５ｅ、２０５ｆ、２０５ｇ、２０５ｈ、２０５ｉ、２０５ｊおよび２０５ｋ（第１５図参照）のそれぞれが設けられ、雨のしずくの誘導や各親骨の先端の危険の緩和の役割を果たしている。
親骨２０４ａ〜２０４ｋのそれぞれの先端に設けられた露先２０５ａ〜２０５ｋのそれぞれは、糸２０７によって隣接する露先と接続される。すなわち、隣接する露先どうしを接続する糸２０７の長さを調節することによって、隣接する露先どうしの距離を調節し、その露先が設けられた親骨の形状（湾曲の程度）を調整することができる。
また、第１４図に示すように、傘２０１では、親骨２０４ａ〜２０４ｋの上には、生地２０６が張られ、雨よけ、日よけの役割を果たしている。この生地２０６によって親骨の形状（湾曲の程度）を調整することもできる。
この傘２０１では、親骨の数を１１本にし、貝殻のような形状をより細かく表現している。
また、たとえば親骨２０４ｅや親骨２０４ｈを可撓性の小さい（ｓｔｉｆｆ）ものにすることによって、傘２０１を開いたときの、露先２０５ｅから露先２０５ｈまでの長さを長くし、ワイドな形状を実現することもできる。
第１６図は、第１４図に示した傘２０１の上ロクロ２０３の部分の側面図であり、見やすさのために、複数の親骨のうちの２本のみを示した図である。
第１４図に示す傘２０１では、第１６図に示すように、中棒２０８と石突２０２との間に設けた上ロクロ２０３は、複数の親骨のうち所定の親骨（第１６図では親骨２０４ａ）の上ロクロ２０３への接続位置を、他の所定の親骨（第１６図では親骨２０４ｆ）の接続位置と上下方向で異ならせるようにしている。
また、この傘２０１においては、傘２０１を開いたときに、露先方向が上に向く親骨２０４ａと、上ロクロ２０３と、親骨２０４ａにほぼ対向する位置の親骨である親骨２０４ｆとが、ほぼ凹凸のないスムーズなラインを形成するようにしており、たとえば親骨２０４ａと石突２０２とが成す角度をたとえば４５度などの任意の角度にし、上記スムーズなラインによって、傘２０１を開いたときの形状を美しくすることができる。
次に、本発明のさらに別の実施の形態について説明する。
第１７図は、本発明による傘の第７の実施の形態の外観を示す斜視図である。
第１８図は、第１７図に示した傘１１１を手元１１９の方向から見た底面図である。
本実施の形態の傘１１１は、従来の傘と同様に、中棒１１８の先端に石突１１２が設けられ、中棒１１８の下端には手元１１９が設けられている。
中棒１１８のうち石突１１２の直下には上ロクロ１１３（第１９図に示す）が設けられ、この上ロクロ１１３には親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐ（第１８図も参照）が接続されている。中棒１１８には、中棒１１８に沿って移動可能な下ロクロ１２１（第１９図に示す）が外挿され、この下ロクロに接続された受骨１２０ａ、１２０ｂ、１２０ｃ、１２０ｄ、１２０ｅ、１２０ｆ、１２０ｇ、１２０ｈ、１２０ｉ、１２０ｊ、１２０ｋ、１２０ｌ、１２０ｍ、１２０ｎ、１２０ｏおよび１２０ｐ（第１８図に示す）のそれぞれが親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐのそれぞれを支え、下ロクロを中棒１１８に沿って移動させることによって、傘１１１の開閉が行われる。
中棒１１８には、さらに上はじき１２２（第１９図に示す）が設けられ、傘１１１を開いた状態において、下ロクロ１２１を上はじき１２２で留めて、傘１１１が閉じてしまうのを防止するようにしている。
親骨１１４ａ、１１４ｂ、１１４ｃ、１１４ｄ、１１４ｅ、１１４ｆ、１１４ｇ、１１４ｈ、１１４ｉ、１１４ｊ、１１４ｋ、１１４ｌ、１１４ｍ、１１４ｎ、１１４ｏおよび１１４ｐのそれぞれには、上ロクロ１１３に接続された端とは別の端に露先１１５ａ、１１５ｂ、１１５ｃ、１１５ｄ、１１５ｅ、１１５ｆ、１１５ｇ、１１５ｈ、１１５ｉ、１１５ｊ、１１５ｋ、１１５ｌ、１１５ｍ、１１５ｎ、１１５ｏおよび１１５ｐ（第１８図も参照）のそれぞれが設けられ、雨のしずくの誘導や各親骨の先端の危険の緩和の役割を果たしている。
親骨１１４ａ〜１１４ｐのそれぞれの先端に設けられた露先１１５ａ〜１１５ｐのそれぞれは、糸１１７によって隣接する露先と接続される。
また、第１７図に示すように、傘１１１では、親骨１１４ａ〜１１４ｐの上には、生地１１６が張られ、雨よけ、日よけの役割を果たしている。
傘１１１の形状は、糸１１７の張力によって形成するものでもよいし、糸１１７および生地１１６の張力によって形成するものでもよいし、糸１１７を設けずに、生地１１６の張力によって形成するものでもよい。
本実施の形態の傘１１１は、傘を開いて横から見たときに、親骨の高さが均一ではない点に特徴を有する。この点について、第１９図および第２０図も参照して詳しく説明する。
第１９図は、第１７図に示した傘１１１の側面図であって、親骨の上下の高さの違いが見やすいように、糸１１７および生地１１６や余計な親骨を除いた状態で示す図である。
第２０図は、第１７図に示した傘１１１の各親骨の高さをグラフに表した図であり、縦軸は親骨の上下の高さであり、横軸は中棒の軸回りの位置である。
この傘１１１の場合、第１９図に示すように、親骨１１４ｂの高さが最も高く、その高さは図に示すハイポイントであり、親骨１１４ｃの高さがその次に高く、その高さは図に示すミドルポイントであり、親骨１１４ａの高さが最も低く、その高さは図に示すローポイントである。
このような傘１１１の形状は、第６図、第８図、第１１図、第１２図等を参照して上述した技術を用いて実現することができる。
第１８図に示した傘１１１のすべての親骨の高さが、第２０図に表されている。
この第２０図では、第１８図に示す親骨とその隣の親骨との間の距離Ｄを、横軸の中棒の軸回りの位置として表しており、順々に各親骨の高さを表し、各親骨を生地１１６で繋いでいる。
このように本実施の形態の傘１１１では、所定の親骨の高さを他の所定の親骨の高さと異ならせるようにしたので、傘の親骨とそれに張られた生地によって、また、親骨の長さ、親骨の可撓性の大きさ等によって、第１７図および第１８図に示す花びらのような形状を実現することができる。
なお、この親骨の高さを異ならせる技術を用いれば、様々な形状の傘を提供することができる。親骨の高さのパターンの例を第２１図〜第３０図に示す。
第２１図、第２５図および第３０図は親骨の数が１６本の傘の場合の例であり、第２２図、第２３図、第２６図、第２７図、第２８図および第２９図は親骨の数が１２本の傘の場合の例であり、第２４図は親骨の数が８本の傘の場合の例である。
本発明による傘における親骨の高さのパターンは、図示したものに限られるものではなく、如何なる組み合わせであってもかまわない。また、親骨の数も何本であってもかまわない。
第３１図は、本発明による傘の第８の実施の形態を石突の方向から見た平面図である。
本実施の形態の傘１３１は、従来の傘と同様に、中棒（図示せず）の先端に石突１３２が設けられ、中棒の下端には手元（図示せず）が設けられている。
中棒のうち石突１３２の直下には上ロクロ１３３が設けられ、この上ロクロ１３３には親骨１３４ａ、１３４ｂ、１３４ｃ、１３４ｄ、１３４ｅ、１３４ｆ、１３４ｇ、１３４ｈ、１３４ｉ、１３４ｊ、１３４ｋ、１３４ｌ、１３４ｍ、１３４ｎ、１３４ｏおよび１３４ｐが接続されている。
親骨１３４ａ、１３４ｂ、１３４ｃ、１３４ｄ、１３４ｅ、１３４ｆ、１３４ｇ、１３４ｈ、１３４ｉ、１３４ｊ、１３４ｋ、１３４ｌ、１３４ｍ、１３４ｎ、１３４ｏおよび１３４ｐのそれぞれには、上ロクロ１３３に接続された端とは別の端に露先１３５ａ、１３５ｂ、１３５ｃ、１３５ｄ、１３５ｅ、１３５ｆ、１３５ｇ、１３５ｈ、１３５ｉ、１３５ｊ、１３５ｋ、１３５ｌ、１３５ｍ、１３５ｎ、１３５ｏおよび１３５ｐのそれぞれが設けられ、雨のしずくの誘導や各親骨の先端の危険の緩和の役割を果たしている。
親骨１３４ａ〜１３４ｐのそれぞれの先端に設けられた露先１３５ａ〜１３５ｐのそれぞれは、糸１３７によって隣接する露先と接続される。
また、傘１３１では、親骨１３４ａ〜１３４ｐの上には、生地１３６が張られ、雨よけ、日よけの役割を果たしている。
他の構成については、第１７図に示した傘１１１と同様であるので、詳しい説明は省略する。
この第３１図に示した傘１３１では、第１８図の傘１１１と比較して、糸１３７によって形成される外形が凹凸の少ないものとなっている。このように、本発明による傘では露先やそれに張られる糸や親骨やそれに張られる生地によって様々な形状を作り出すことができる。
ところで、上述の各実施の形態では本発明の特徴をそれぞれ説明したが、上述の各実施の形態の特徴部分を取りだし、必要に応じてそれぞれを組み合わせたものも、本発明であることはいうまでもない。
また、上述の各実施の形態において、親骨の長さ、親骨どうしが成す角度、親骨の湾曲の向き、親骨の湾曲の度合いなどの各変位量は、傘骨構造によって形成される形状をどのようなものにしたいか、その要望に応じて調整することができ、どのような値であってもかまわない。
また、本発明は、上述したように傘骨構造によって実現されるものであるため、たとえば傘の中棒の有無は本発明の実現、実施に影響を与えるものではない。すなわち、本発明はいわゆる傘に限られるものではなく、傘骨を有するすべてのものに適用することができ、たとえば、建物（特に美的な外観によって集客力の向上が期待できるアパレル店舗やレストラン、カフェ等）や、ベビーカーやそのほか乗り物の日よけ部分、雨よけ部分にも適用することができるし、ビーチパラソル、ビーチアンブレラ、電燈の傘（ランプシェイド）といったものにも適用することができる。また、蚊帳や、食器等にハエなどの虫が集るのを防ぐための虫よけ傘などにも適用することができる。
また本発明の傘骨構造は、たとえば犬や猫など動物用の傘にも適用することができるし、パラボラアンテナの形状を本発明によって実現される形状にしてもよいし、扇子や団扇の形状を本発明によって実現される形状にしてもよい。
さらに、本発明の傘骨構造によれば、メイプルリーフなど植物の葉の形も実現することができ、美的に優れた形状を提供することができる。
また、傘の場合には開閉動作を伴なうが、本発明による傘骨構造は、必ずしも開閉動作を必要とせず、常時、開状態のようなものにも適用可能である。
本発明の傘骨構造によれば、上述したようにファッション性に富んだ様々な形状の傘骨構造を提供することができる。その形状としては、たとえば傘の親骨とそれに張られた生地によって貝殻の形状を提供したり、そのほか、メイプルリーフなどの葉の形、花の形、雪の結晶など、様々な幾何学的模様を提供することができる。
以上説明したように、本発明によれば、傘に無理な負担をかけない構造で、ファッション的に優れた外観を有し、消費者に対して購買意欲をわかせて産業の発達に寄与することができる傘を提供することができる。
すなわち本発明によれば、傘の露先どうしを糸で結んで各親骨によって形成される形状を定めるようにしたので、任意の形状を容易に実現することができる。
また複数の親骨で形成される傘骨構造において、前記複数の親骨に生地を張り、該親骨に張った生地によって形状を変化させるようにしたので、任意の形状を容易に実現することができる。
また傘の隣り合う親骨どうしがなす角の角度を、所定の親骨において異ならせるようにしたので、傘の親骨とそれに張られた生地によって様々な形状たとえば貝殻の形状を実現することができるという効果がある。また、従来の傘の親骨のうちの何本かを取り除くようにすれば、容易に、傘の隣り合う親骨どうしがなす角の角度を、所定の親骨において異なるという構造を実現することができる。
また本発明によれば、複数の親骨のうちの所定の親骨の長さを他の所定の親骨の長さと異ならせるようにしたので、傘の親骨とそれに張られた生地によって様々な形状たとえば貝殻の形状を実現することができるという効果がある。
また本発明によれば、親骨に接続された受骨のうち所定の受骨の長さを変化させることができるようにしたので、傘に無理な力がかからず、傘の破損を防ぐことができる。
また本発明によれば、親骨の長さに応じてその親骨に接続された受骨の長さを変化させることができるようにしたので、傘に無理な力がかからず、傘の破損を防ぐことができる。
また本発明によれば、所定の受骨をスライド可能な中子式にしたので、傘の開閉の状態に応じてその受骨の長さが変化し、傘に無理な力がかからず、傘の破損を防ぐことができる。
また本発明によれば、上ロクロに親骨が接続された位置において、所定の親骨の可動範囲を広げ、また、下ロクロに受骨が接続された位置において、所定の受骨の可動範囲を広げるようにしたので、傘に無理な力がかからず、傘の破損を防ぐことができ、傘の開閉操作をスムーズに行うことができ、また親骨によって所望の形状を作り出すことができる。また、従来の傘の上ロクロや下ロクロの所定個所をカットするようにすれば、容易に、各骨の可動範囲を広げることができる。
また本発明によれば、親骨に接続された受骨の長さを異ならせ、また、それに応じて親骨と受骨との接続位置を調節するようにしたので、傘に無理な力がかからず、傘の破損を防ぐことができ、親骨によって所望の形状を作り出すことができる。
また本発明によれば、親骨の長さに応じてその親骨に接続された受骨の長さも異ならせ、また、それに応じて親骨と受骨との接続位置を調節するようにしたので、傘に無理な力がかからず、傘の破損を防ぐことができ、親骨によって所望の形状を作り出すことができる。
また本発明によれば、複数の親骨が一端を上ロクロに接続される際、複数の親骨のうちの所定の親骨が上ロクロの中心以外を向いて接続されるようにしたので、親骨によって所望の形状を作り出すことができる。
また本発明によれば、複数の受骨が一端を下ロクロに接続される際、複数の受骨のうちの所定の受骨が下ロクロの中心以外を向いて接続されるようにしたので、親骨によって所望の形状を作り出すことができる。
また本発明によれば、複数の親骨が一端を上ロクロに接続され、複数の親骨のうち所定の親骨の上ロクロへの接続位置が、他の所定の親骨の接続位置と上下方向で異なるようにしたので、親骨によって所望の形状を作り出すことができる。
また本発明によれば、複数の親骨が一端を上ロクロに接続され、複数の親骨の他端を上げて開いたときに親骨のうちの所定の親骨を支持するツバ部を前記上ロクロに備えたので、傘に無理な力がかからず、傘の破損を防ぐことができ、親骨によって所望の形状を作り出すことができる。
また本発明によれば、前記複数の親骨に生地を張って成るようにしたので、親骨に張った生地によって所望の形状を作り出すことができる。
また本発明によれば、複数の親骨のうちの所定の親骨が、傘の開閉動作の際にその親骨が移動する方向とは異なる方向に、傘を開いたときに湾曲するようにしたので、親骨によって所望の形状を作り出すことができる。
また本発明によれば、複数の親骨のうちの所定の親骨の可撓性の大きさが他の所定の親骨の可撓性の大きさと異なるようにしたので、親骨によって所望の形状を作り出すことができる。
また本発明によれば、傘を開いて横から見たときに、記複数の親骨のうちの所定の親骨の高さが他の所定の親骨の高さと異なるようにしたので、親骨によって所望の形状を作り出すことができる。
【産業上の利用可能性】  上述した発明の実施の形態は、傘の外観形状に対して美的向上を実現するものであるが、本発明はこれに限られるものではなく、たとえば、雨傘や日傘に限らず、建物（特に美的な外観によって集客力の向上が期待できるアパレル店舗やレストラン、カフェ等）や、ベビーカーやそのほか乗り物の日よけ部分、雨よけ部分にも適用することができるし、ビーチパラソル、ビーチアンブレラ、電燈の傘（ランプシェイド）といったものにも適用することができる。また、蚊帳や、食器等にハエなどの虫が集るのを防ぐための虫よけ傘などにも適用することができる。
また本発明の傘骨構造は、たとえば犬や猫など動物用の傘にも適用することができるし、パラボラアンテナの形状を本発明によって実現される形状にしてもよいし、扇子や団扇の形状を本発明によって実現される形状にしてもよい。
さらに、本発明の傘骨構造によれば、メイプルリーフなど植物の葉の形も実現することができ、美的に優れた形状を提供することができる。
また、傘の場合には開閉動作を伴なうが、本発明による傘骨構造は、必ずしも開閉動作を必要とせず、常時、開状態のようなものにも適用可能である。
本発明によれば、上述のような美的形状を提供することができるので、購買意欲の向上、集客力の向上等が期待でき、産業の発達に寄与することができる。
【図１】
0004774298.tif 000002
【図２】
0004774298.tif 000003
【図３】
0004774298.tif 000004
【図４】
0004774298.tif 000005
【図５】
0004774298.tif 000006
【図６】
0004774298.tif 000007
【図７】
0004774298.tif 000008
【図８】
0004774298.tif 000009
【図９】
0004774298.tif 000010
【図１０】
0004774298.tif 000011
【図１１】
0004774298.tif 000012
【図１２】
0004774298.tif 000013
【図１３】
0004774298.tif 000014
【図１４】
0004774298.tif 000015
【図１５】
0004774298.tif 000016
【図１６】
0004774298.tif 000017
【図１７】
0004774298.tif 000018
【図１８】
0004774298.tif 000019
【図１９】
0004774298.tif 000020
【図２０】
0004774298.tif 000021
【図２１】
0004774298.tif 000022
【図２２】
0004774298.tif 000023
【図２３】
0004774298.tif 000024
【図２４】
0004774298.tif 000025
【図２５】
0004774298.tif 000026
【図２６】
0004774298.tif 000027
【図２７】
0004774298.tif 000028
【図２８】
0004774298.tif 000029
【図２９】
0004774298.tif 000030
【図３０】
0004774298.tif 000031
【図３１】
0004774298.tif 000032